(57)【要約】【課題】取り扱いが容易な保温観察カバーを提供する。【解決手段】保温観察カバー１０は、患者の肢体の穿刺された穿刺部位Ｐ１を上方から覆う覆い部１２と、覆い部１２の一端部から延び、穿刺部位Ｐ１よりも付根側の前記肢体が通る第１の開口部Ｈａを形成する第１の形成部１４ａと、覆い部１２の他端部から延び、患者の穿刺部位Ｐ１よりも先端側の前記肢体が通る第２の開口部Ｈｂを形成する第２の形成部１４ｂと、を備え、第１の開口部Ｈａ及び第２の開口部Ｈｂの高さ寸法が、それぞれ覆い部１２の頂部の高さ寸法よりも小さく、内部が視認可能となっている。【選択図】図１
2015100429.tif 000002
【特許請求の範囲】
【請求項１】
患者の肢体の穿刺された穿刺部位を上方から覆う覆い部と、
前記覆い部の一端部から延び、前記穿刺部位よりも付根側の前記肢体が通る第１の開口部を形成する第１の形成部と、
前記覆い部の他端部から延び、前記患者の前記穿刺部位よりも先端側の前記肢体が通る第２の開口部を形成する第２の形成部と、を備え、
前記第１の開口部及び前記第２の開口部の高さ寸法が、それぞれ前記覆い部の頂部の高さ寸法よりも小さく、内部が視認可能となっている保温観察カバー。
【請求項２】
請求項１記載の保温観察カバーにおいて、
前記覆い部の内側に、前記第１の形成部及び前記第２の形成部によって囲まれた、前記患者から発せられる熱を溜める熱溜まりが形成されている保温観察カバー。
【請求項３】
請求項２記載の保温観察カバーにおいて、
前記覆い部の下側端部の一方の側から外側に向かって突出し、設置面に接する第１の突出部と、
前記覆い部の下側端部の他方の側から外側に向かって突出し、前記設置面に接する第２の突出部と、を更に備えた保温観察カバー。
【請求項４】
請求項３記載の保温観察カバーにおいて、
該保温観察カバーの端面を覆う１つの保護部材を更に備え、
前記保護部材の一端部と他端部とが、前記端面の予め決められた位置に取り付けられている保温観察カバー。
【請求項５】
請求項４記載の保温観察カバーにおいて、
前記予め決められた位置が、前記第１の突出部の端面又は前記第２の突出部の端面に設定されている保温観察カバー。
【請求項６】
請求項４又は５記載の保温観察カバーにおいて、
前記保護部材は、該保温観察カバーの端面を覆う溝が形成された樹脂製部材であり、該保温観察カバーの丸く加工された角部の形状に沿って湾曲して取り付けられた湾曲部の内側に、複数の切り欠きが形成されている保温観察カバー。
【請求項７】
請求項６記載の保温観察カバーにおいて、
前記覆い部の外側の面又は前記第１の突出部及び前記第２の突出部に、上下方向に厚みを有するスペーサを更に備えた保温観察カバー。
【請求項８】
請求項７記載の保温観察カバーにおいて、
前記覆い部の頂部に、該保温観察カバーの内部の湿度が上昇することを抑制するための孔が形成されている保温観察カバー。
【請求項９】
請求項８記載の保温観察カバーにおいて、
前記第１の開口部の大きさが、前記第２の開口部の大きさよりも大きい保温観察カバー。
【発明の詳細な説明】
【技術分野】
【０００１】
本発明は、例えば透析患者の腕を保温するための保温観察カバーに関する。
【背景技術】
【０００２】
特許文献１には、透析時の患者にとって使用感がよく、抜針事故を防止可能な抑制帯に代わる又は併用可能な抜針事故防止用保護具が記載されている。この抜針事故防止用保護具は、略前腕に等しい長さの略平板状下敷マットと、下敷マットに着脱自在に被せて弾支状態で装着可能な透明又は半透明保護カバーとからなる。
特許文献２には、長時間の点滴や人工透析等のときに患者を保護するために使用するカバーが記載されている。このカバーは、患者の片腕を入れることが出来る細長い保温袋の一側部に穿刺可能な部位を露にする開口部を設け、その開口部を覆う透明シートを開閉自在にして保温袋の外側に取り付けてある。
【先行技術文献】
【特許文献】
【０００３】
【特許文献１】特開２００２−１７２１６４号公報
【特許文献２】特開２００６−１６７４１５号公報
【発明の概要】
【発明が解決しようとする課題】
【０００４】
ここで、透析患者の腕を覆う保護具は、例えば部品点数が少なく簡単に使用できることや、収納性が高いことにより、取り扱いが容易であることが好ましい。
本発明は、取り扱いが容易な保温観察カバーを提供することを目的とする。
【課題を解決するための手段】
【０００５】
前記目的に沿う本発明に係る保温観察カバーは、患者の肢体の穿刺された穿刺部位を上方から覆う覆い部と、
前記覆い部の一端部から延び、前記穿刺部位よりも付根側の前記肢体が通る第１の開口部を形成する第１の形成部と、
前記覆い部の他端部から延び、前記患者の前記穿刺部位よりも先端側の前記肢体が通る第２の開口部を形成する第２の形成部と、を備え、
前記第１の開口部及び前記第２の開口部の高さ寸法が、それぞれ前記覆い部の頂部の高さ寸法よりも小さく、内部が視認可能となっている。
【０００６】
本発明に係る保温観察カバーにおいて、
前記覆い部の内側に、前記第１の形成部及び前記第２の形成部によって囲まれた、前記患者から発せられる熱を溜める熱溜まりが形成されていることが好ましい。
【０００７】
本発明に係る保温観察カバーにおいて、
前記覆い部の下側端部の一方の側から外側に向かって突出し、設置面に接する第１の突出部と、
前記覆い部の下側端部の他方の側から外側に向かって突出し、前記設置面に接する第２の突出部と、を更に備えていてもよい。
【０００８】
本発明に係る保温観察カバーにおいて、
該保温観察カバーの端面を覆う１つの保護部材を更に備え、
前記保護部材の一端部と他端部とが、前記端面の予め決められた位置に取り付けられていることが好ましい。
【０００９】
本発明に係る保温観察カバーにおいて、
前記予め決められた位置が、前記第１の突出部の端面又は前記第２の突出部の端面に設定されていることが好ましい。
【００１０】
本発明に係る保温観察カバーにおいて、
前記保護部材は、該保温観察カバーの端面を覆う溝が形成された樹脂製部材であり、該保温観察カバーの丸く加工された角部の形状に沿って湾曲して取り付けられた湾曲部の内側に、複数の切り欠きが形成されていることが好ましい。
【００１１】
本発明に係る保温観察カバーにおいて、
前記覆い部の外側の面又は前記第１の突出部及び前記第２の突出部に、上下方向に厚みを有するスペーサを更に備えていてもよい。
【００１２】
本発明に係る保温観察カバーにおいて、
前記覆い部の頂部に、該保温観察カバーの内部の湿度が上昇することを抑制するための孔が形成されていることが好ましい。
【００１３】
本発明に係る保温観察カバーにおいて、
前記第１の開口部の大きさが、前記第２の開口部の大きさよりも大きいことが好ましい。
【発明の効果】
【００１４】
本発明によれば、取り扱いが容易な保温観察カバーを提供できる。
【図面の簡単な説明】
【００１５】
【図１】本発明の一実施の形態に係る保温観察カバーの使用状態を示す説明図である。
【図２】同保温観察カバーの斜視図である。
【図３】図２とは異なる角度から見た、同保温観察カバーの斜視図である。
【図４】同保温観察カバーの正面図である。
【図５】同保温観察カバーの背面図である。
【図６】同保温観察カバーの平面図である。
【図７】同保温観察カバーの底面図である。
【図８】同保温観察カバーの左側面図である。
【図９】同保温観察カバーの右側面図である。
【図１０】図６に示した断面Ａ−Ａである。
【図１１】図８に示した断面Ｂ−Ｂである。
【図１２】同保温観察カバーの覆い部の内側に形成された空間を示す説明図である。
【図１３】同保温観察カバーの温度特性を示すグラフである。
【図１４】同保温観察カバーの湿度特性を示すグラフである。
【発明を実施するための形態】
【００１６】
続いて、添付した図面を参照しつつ、本発明を具体化した実施の形態につき説明し、本発明の理解に供する。なお、図において、説明に関連しない部分は図示を省略する場合がある。また、図１を除く各図において、透明な部分は不透明体として表している。
図１に示すように、本発明の一実施の形態に係る保温観察カバー１０は、透析患者（患者の一例）の前腕ＦＡの穿刺された穿刺部位を上方から覆って保護するとともに、透析患者の腕を保温できる。保温観察カバー１０の全長は、例えば２３０〜２７０ｍｍ、全幅は、例えば１８０〜２２０ｍｍ、高さは例えば１２０〜１６０ｍｍである。
【００１７】
保温観察カバー１０は、図２〜図１１に示すように、覆い部１２、第１の形成部１４ａ、第２の形成部１４ｂ、第１の突出部１６ａ、及び第２の突出部１６ｂを備えている。各部１２、１４ａ、１４ｂ、１６ａ、１６ｂは、保温観察カバー１０の内部を観察できるように透明となっている。各部１２、１４ａ、１４ｂ、１６ａ、１６ｂの材質は、例えば塩化ビニル、アクリル、及びＰＥＴ（ポリエチレンテレフタレート）等であり、真空成形によって一体に成形されることが好ましい。
【００１８】
覆い部１２は、透析患者の穿刺部位Ｐ１（図１参照）を上方から覆う、上方が凸となるように湾曲した板状の部材により構成されている。覆い部１２は、正面視すると、図４に示すように、上方に向かうに従って、徐々に幅が狭くなっている。また、覆い部１２は、側面視すると、図８及び図９に示すように、台形状となっている。
【００１９】
第１の形成部１４ａは、図１に示すように、覆い部１２の透析患者の肘側（付根側）の端部から透析患者の前腕ＦＡに向かって延びる板状の部材により構成され、図３に示す第１の開口部Ｈａを形成している。この第１の開口部Ｈａは、上方が頂部となるアーチ状となっており、下方が開放されている。第１の開口部Ｈａの高さ寸法Ｌ１は、図５及び図１０に示すように、覆い部１２の頂部の高さ寸法Ｌ０よりも小さくなっている。
第１の開口部Ｈａには、図１に示すように、透析患者の穿刺部位Ｐ１よりも肘側の前腕ＦＡが通る。また、第１の開口部Ｈａには、２本の透析チューブＴが通る。２本の透析チューブのうち、一方の透析チューブＴは、透析患者の前腕ＦＡに穿刺された動脈側穿刺針から延びる透析チューブである。他方の透析チューブＴは、透析患者の前腕ＦＡに穿刺された静脈側穿刺針から延びる透析チューブである。
【００２０】
第２の形成部１４ｂは、図２に示すように、覆い部１２の先端部から透析患者の前腕ＦＡに向かって延びる板状の部材により構成され、第２の開口部Ｈｂを形成している。第２の開口部Ｈｂは、上方が頂部となるアーチ状となっており、下方が開放されている。第２の開口部Ｈｂは、前腕ＦＡの太さに合わせて第１の開口部Ｈａよりも小さくなっている。詳細には、図５及び図１０に示すように、第２の開口部Ｈｂの高さ寸法Ｌ２が、第１の開口部Ｈａの高さ寸法Ｌ１よりも小さくなっている。
第２の開口部Ｈｂには、図１に示すように透析患者の穿刺部位Ｐ１よりも手首側（先端側）の前腕が通る。なお、第１の開口部Ｈａを通る透析チューブＴは、第２の開口部Ｈｂを通ってもよい。
【００２１】
第１の突出部１６ａは、図４及び図５に示すように、覆い部１２の下側端部の一方の側から外側に向かって突出する板状の部材によって構成され、下面がベッドの表面（設置面）に接する。第１の突出部１６ａの両端の角部Ｐ１６ａは、図６及び図７に示すように、それぞれ、丸く加工されている。
第２の突出部１６ｂは、図４及び図５に示すように、覆い部１２の下側端部の他方の側から外側に向かって突出する板状の部材によって構成され、下面がベッドの表面に接する。第２の突出部１６ｂの両端の角部Ｐ１６ｂは、図６及び図７に示すように、それぞれ、丸く加工されている。
第１の突出部１６ａ及び第２の突出部１６ｂが設けられていることにより、これら第１の突出部１６ａ及び第２の突出部１６ｂが設けられていない場合と比較して、保温観察カバー１０の剛性が向上するとともに、保温観察カバー１０を使用する際の安定性が向上する。
【００２２】
保温観察カバー１０の内側には、図１２に示すように、覆い部１２、第１の形成部１４ａ、及び第２の形成部１４ｂによって囲まれた空間Ｓが形成される。この空間Ｓは、透析患者から発せられる熱を溜める熱溜まりとなっている。この熱溜まりによって、透析患者が透析を受ける際に腕が冷たく感じることが抑制される。
なお、第１の開口部Ｈａ及び第２の開口部Ｈｂの大きさは、前腕ＦＡの太さに合わせて設定されているので、熱溜まりの熱が第１の開口部Ｈａ及び第２の開口部Ｈｂから外部に逃げることが抑えられる。
【００２３】
保温観察カバー１０の頂部（覆い部１２の頂部）には、図２及び図３に示すように、長手方向に沿って、例えば３つの孔３０が形成されている。これら孔３０は、保温観察カバー１０の内部の湿度が上昇することを抑制することができる。孔３０の数及び大きさは、内部の湿気を逃しつつも、熱溜まりから大きく熱を逃がさない程度に設定される。
【００２４】
保温観察カバー１０は、保護部材４２及び複数のスペーサ４４を更に備えている。
保護部材４２は、例えば断面がＵ字状の、保温観察カバー１０の端面を覆う溝が形成された樹脂製（例えば塩化ビニル製）の部材である。保護部材４２は、可撓性を有し、第１の形成部１４ａの端面、第２の形成部１４ｂの端面、第１の突出部１６ａの端面、及び第２の突出部１６ｂの端面を覆って保護することができる。
保護部材４２は、有色である。保護部材４２は、両面テープによって、各端面に取り付けられる。
【００２５】
保護部材４２は、図７に示すように、第１の突出部１６ａの両端の角部Ｐ１６ａ及び第２の突出部１６ｂの両端の角部Ｐ１６ｂにおいては、丸く加工された各角部Ｐ１６ａ、Ｐ１６ｂの形状に沿って、湾曲して端面を覆っている。保護部材４２の湾曲した湾曲部の内側（各角部Ｐ１６ａ、Ｐ１６ｂの端面側）には、保護部材４２が延びる方向に沿って複数の切り欠き５０が間隔を空けて形成されている。保護部材４２の複数の切り欠き５０が形成された部分は、より曲がりやすくなるので、複数の切り欠きが形成されていない場合と比較して、各角部Ｐ１６ａ、Ｐ１６ｂの形状に沿って容易に取り付けられる。
【００２６】
保護部材４２は１つの（単一の）部材であり、一端部が第１の突出部１６ａの長手方向中央部に位置する端部Ｐ２（図２、図３、図６、及び図７参照）に取り付けられ、他端部も第１の突出部１６ａの端部Ｐ２に取り付けられる。すなわち、保護部材４２は、第１の突出部１６ａの端面の第１の開口部Ｈａ側半分、第１の形成部１４ａの端面（第１の開口部Ｈａの端面）、第２の突出部１６ｂの端面、第２の形成部１４ｂの端面（第２の開口部Ｈｂの端面）、及び第１の突出部１６ａの端面の第２の開口部Ｈｂの側半分を順に覆うように取り付けられ、保護部材４２の一端部と他端部とが、第１の突出部１６ａの端部Ｐ２にて接続されるように取り付けられている。
なお、保護部材４２の一端部と他端部は、第２の突出部１６ｂの端部にて接続されるように取り付けられていてもよい。
【００２７】
透析患者は、穿刺された腕の感覚が敏感になっているため、腕に突起が接触することを嫌う傾向がある。保護部材４２は、一端部及び他端部が、保温観察カバー１０の端面の一箇所でのみ接続されているので、突起となる継ぎ目が複数形成されることが抑えられる。また、保護部材４２の一端部及び他端部が接続される位置が、第１の突出部１６ａの端部Ｐ２であるので、透析患者の穿刺された前腕ＦＡ（図１参照）に触れやすい位置に継ぎ目が形成されることがない。従って、透析患者が保温観察カバー１０を使用することに対する抵抗感が低減される。
【００２８】
複数のスペーサ４４は、上下方向に厚みを有する直方体状の部材であり、各スペーサ４４は、例えば、覆い部１２の下部の４隅の外面に貼付されている。従って、各スペーサ４４が、保温観察カバー１０の内部を視認するための障害となる可能性が低減される。
各スペーサ４４は、有色である。各スペーサ４４の材質は、例えばポリエチレンの発泡体である。
【００２９】
ここで、覆い部１２は、正面視すると、図４に示すように、上部の幅方向の寸法が下部の幅方向の寸法よりも小さくなっている。また、保温観察カバー１０は、側面視すると、図８及び図９に示すように、上部の寸法が下部の寸法よりも小さくなっている。従って、複数の保温観察カバー１０を重ねて収納することができる。
【００３０】
保温観察カバー１０がスペーサ４４を備えていることにより、複数の保温観察カバー１０を上下方向に重ねて収納した場合に、スペーサ４４の上に、上側の保温観察カバー１０の第１の突出部１６ａ及び第２の突出部１６ｂが載り、隣り合う覆い部１２の内面と外面とが接触することが抑えられる。従って、保温観察カバー１０が繰り返し使用されるに従って、保温観察カバー１０の内側の面に傷がつき、内部の状態の視認性が低下することが抑えられる。
なお、各スペーサ４４は、覆い部１２の外面に代えて、第１の突出部１６ａ及び第２の突出部１６ｂに設けられていてもよい。
【実施例】
【００３１】
発明者らは、保温観察カバー１０の有用性を検証するため、温度特性及び湿度特性を調べる実験を行った。以下、各実験について説明する。
（温度特性実験）
実験に先立ち、本実施の形態に係る保温観察カバー１０を準備した。更に、保温観察カバー１０から第１の形成部１４ａ及び第２の形成部１４ｂを取り除き、覆い部１２、第１の突出部１６ａ、及び第２の突出部１６ｂのみによって構成された保温観察カバー（比較例となる保温観察カバー）を準備した。
その後、透析患者の穿刺部位Ｐ１（図１参照）を保温観察カバー１０にて覆い、保温観察カバー１０の内部の空いた空間に温度計を配置し、予め決められた経過時間毎に温度を測定した。温度を測定した後、保温観察カバー１０を交換し、比較例の保温観察カバーについても同様に温度を測定した。
【００３２】
実験結果となる保温観察カバー１０の温度特性を図１３に示す。図１３に示したグラフの横軸は時間（分）であり、縦軸は温度（℃）である。
図１３から明らかなように、保温観察カバー１０の内部の温度は、測定開始から１５分を経過した後は、室温の２７℃から４．５℃上昇し３１．５℃となった。また、保温観察カバー１０の方が、比較例の保温観察カバーよりも、内部の温度が３℃高い状態で維持された。
【００３３】
ここで、透析患者は、透析中に腕が冷える症状を訴えることがある。そこで、実際に本実施の形態に係る保温観察カバー１０を使用してもらったところ、透析患者からは、比較例の保温観察カバーを使用した場合よりも暖かく感じる、という感想が得られ、３℃程度の温度の差であっても体感温度としては十分に効果があることが明らかとなった。
【００３４】
（湿度特性実験）
実験に先立ち、本実施の形態に係る保温観察カバー１０を準備した。更に、保温観察カバー１０の孔３０を全て塞いだ保護観察カバー（比較例となる保温観察カバー）を準備した。
その後、透析患者の穿刺部位Ｐ１（図１参照）を保温観察カバー１０にて覆い、保温観察カバー１０の内部の空いた空間に湿度計を配置し、予め決められた経過時間毎に湿度を測定した。湿度を測定した後、保温観察カバー１０を交換し、比較例の保温観察カバーについても同様に湿度を測定した。
【００３５】
実験結果となる保温観察カバー１０の湿度特性を図１４に示す。図１４に示したグラフの横軸は時間（分）であり、縦軸は湿度（％）である。
図１４から明らかなように、保温観察カバー１０の内部の湿度は、測定開始から３０分を経過した後は、測定開始時の４８％から６％上昇し５８％となった。ただし、保温観察カバー１０の方が、比較例の保温観察カバーよりも、内部の湿度が４％低い状態に維持された。
従って、孔３０により、保護観察カバー１０の内部の湿度が上昇することを抑制できることが明らかとなった。
【００３６】
以上説明した保温観察カバー１０は、透析患者の穿刺部位Ｐ１（図１参照）を上から覆うだけで使用できるとともに、重ねて収納できるので、取り扱いが容易である。
【００３７】
以上、本発明の実施の形態を説明したが、本発明は、上記した形態に限定されるものでなく、要旨を逸脱しない条件の変更等は全て本発明の適用範囲である。
スペーサを除く保温観察カバーの各部は、内部の状態が視認であれば、それぞれ半透明であってもよい。
穿刺部位は、前腕に限定されるものではなく、肢体であればよい。従って、穿刺部位は、例えば脚部であってもよい。すなわち、保温観察カバーは、脚の穿刺部位に対して使用することも可能である。
保温観察カバーの使用対象者は、透析患者に限定されるものではない。保温観察カバーの使用対象者は、例えば、点滴患者であってもよい。
第１の開口部Ｈａの高さ寸法Ｌ１は、第２の開口部Ｈｂの高さ寸法Ｌ２と同一であってもよい。また、第１の開口部Ｈａの大きさは、第２の開口部Ｈｂの大きさ以上となっていてもよい。
【符号の説明】
【００３８】
１０：保温観察カバー、１２：覆い部、１４ａ：第１の形成部、１４ｂ：第２の形成部、１６ａ：第１の突出部、１６ｂ：第２の突出部、３０：孔、４２：保護部材、４４：スペーサ、ＦＡ：前腕、Ｈａ：第１の開口部、Ｈｂ：第２の開口部、Ｐ１：穿刺部位、Ｐ２：端部、Ｐ１６ａ、Ｐ１６ｂ：角部、Ｓ：空間、Ｔ：透析チューブ
【図１】
2015100429.tif 000003
【図２】
2015100429.tif 000004
【図３】
2015100429.tif 000005
【図４】
2015100429.tif 000006
【図５】
2015100429.tif 000007
【図６】
2015100429.tif 000008
【図７】
2015100429.tif 000009
【図８】
2015100429.tif 000010
【図９】
2015100429.tif 000011
【図１０】
2015100429.tif 000012
【図１１】
2015100429.tif 000013
【図１２】
2015100429.tif 000014
【図１３】
2015100429.tif 000015
【図１４】
2015100429.tif 000016